(57)【特許請求の範囲】
【請求項１】
入力端子と、前記入力端子から入力される信号のうち、ＶＨＦ帯のテレビジョン信号を受信するＶＨＦチュ−ナ部と、ＵＨＦ帯のテレビジョン信号を受信するＵＨＦチュ−ナ部とを備えたテレビジョン信号受信チュ−ナであって、
前記ＵＨＦチュ−ナ部が、第一のバラクタダイオ−ドと、第二のバラクタダイオ−ドを有するとともに前記第二のバラクタダイオ−ドの容量値の変化によって同調周波数が変化する入力同調回路とを備え、前記入力同調回路を前記第一のバラクタダイオ−ドを介して前記入力端子に結合されており、
前記第一のバラクタダイオ−ドの容量値が、前記第二のバラクタダイオ−ドの容量値の変化の方向と同一方向に変化させられるものであり、且つ前記第一のバラクタダイオ−ドが前記ＶＨＦ帯のテレビジョン信号を減衰するとともに前記ＵＨＦ帯のテレビジョン信号を通過するハイパスフィルタとして設けられていることを特徴とするテレビジョン信号受信チュ−ナ。
【請求項２】
前記第一のバラクタダイオ−ドと前記第二のバラクタダイオ−ドとに同一の同調電圧を印加したことを特徴とする請求項１記載のテレビジョン信号受信チュ−ナ。
【請求項３】
前記第二のバラクタダイオ−ドとともに前記入力同調回路を構成する、互いに直列接続された第一のインダクタと第二のインダクタとを設け、前記第一のバラクタダイオ−ドの一端を、前記第一のインダクタと前記第二のインダクタとの接続点に接続したことを特徴とする請求項１または２記載のテレビジョン信号受信チュ−ナ。
【請求項４】
前記第一のインダクタの一端を接地し、前記第一のバラクタダイオ−ドと前記第一のインダクタとによって前記ＶＨＦ帯のテレビジョン信号を減衰するトラップ回路を構成したことを特徴とする請求項３記載のテレビジョン信号受信チュ−ナ。
【発明の詳細な説明】
【０００１】
【発明の属する技術分野】
本発明は、テレビジョン受信機、ＶＴＲ（ビディオテ−プレコ−ダ−）等に使用するテレビジョン信号受信チュ−ナに関し、詳しくは、テレビジョン信号受信チュ−ナにおけるＵＨＦチュ−ナ部の入力回路部に関する。
【０００２】
【従来の技術】
従来のテレビジョン信号受信チュ−ナ（以下、単にチュ−ナという）を図６乃至図１０を参照して説明する。先ず、図６は従来のチュ−ナの回路を示すものである。図６において、ＶＨＦ帯のテレビジョン信号を受信するＶＨＦチュ−ナ部２１と、ＵＨＦ帯のテレビジョン信号を受信するＵＨＦチュ−ナ部２２とが、入力端子２３に接続されている。ＶＨＦチュ−ナ部２１は、中間周波トラップ回路２４、ＶＨＦ入力同調回路２５、ＶＨＦ高周波増幅器２６等で構成され、一方、ＵＨＦチュ−ナ部２２は、結合コンデンサ２７、ＵＨＦ入力同調回路２８、ＵＨＦ高周波増幅器２９等で構成されている。ＵＨＦ入力同調回路２８は、さらに、インピ−ダンス変換回路３０と、主同調回路３１とで構成されている。インピ−ダンス変換回路３０は、互いに直列接続された二つのインダクタ３２、３３で構成され、また、主同調回路３１は、主インダクタ３４とこの主インダクタ３４に並列接続されたバラクタダイオ−ド３５とによって構成されている。
【０００３】
結合コンデンサ２７は、数ｐＦ（ピコファラッド）の容量値を持ち、入力端子２３と、直列接続されたインダクタ３２、３３の接続点との間に接続されて、入力端子２３に入力されたテレビジョン信号のうち、ＶＨＦ帯のテレビジョン信号を大きく減衰し、ＵＨＦ帯のテレビジョン信号をあまり減衰することなくＵＨＦ入力同調回路２８に送る。そして、結合コンデンサ２７から入力端子２３側を見た信号源側のインピ−ダンスが、互いに直列接続された二つのインダクタ３２、３３のインダクタンス比によってステップアップされて大きくなるようになっている。主同調回路３１は、この直列接続されたインダクタ３２、３３に、並列接続されており、バラクタダイオ−ド３５に同調電圧端子３６からの同調電圧が印加され、ＵＨＦ入力同調回路２８の同調周波数が変えられるようになっている。
【０００４】
そして、ＶＨＦチュ−ナ部２１においては、先ず、中間周波トラップ回路２４で、中間周波数帯域の妨害信号を除去した後、ＶＨＦ入力同調回路２５で、所望するＶＨＦ帯のテレビジョン信号を選択し、ＶＨＦ高周波増幅器２６で増幅する。そして、ＶＨＦチュ−ナ部２１の図示しない混合器で中間周波信号に周波数変換する。一方、ＵＨＦチュ−ナ部２２においては、結合コンデンサ２７を介して入力されたＵＨＦ帯のテレビジョン信号は、バラクタダイオ−ド３５の容量を変化することによって、ＵＨＦ入力同調回路２８で所望するチャンネルの信号が選択され、ＵＨＦ高周波増幅器２９で増幅される。そして、ＵＨＦチュ−ナ部２１の図示しない混合器で中間周波信号に周波数変換される。
【０００５】
ここで、入力端子２３には図示しないアンテナが接続されるが、そのインピ−ダンスは通常、純抵抗の７５Ωであり、これをｒとすると、結合コンデンサ２７を含めた信号源側のインピ−ダンスＺ１は、Ｚ１＝ｒ−ｊｘ１で表される。このインピ−ダンスＺ１を並列回路に変換すると、図７に示すように、抵抗成分Ｒ１＝ｒ＋ｘ１２/ｒと、リアクタンス成分Ｘ１＝−ｊ（ｘ１＋ｒ２/ｘ１）とで示され、このうちの抵抗成分Ｒ１が、図６のインピ−ダンス変換回路３０のインダクタ３２、３３によって大きな値に変換されてＵＨＦ入力同調回路２８に並列接続されるようになっている。ここで、ｘ１は結合コンデンサ２７のリアクタンスであり、結合コンデンサ２７の容量値をＣ１とすると、ｘ１＝１／ωＣ１で表される。
【０００６】
そして、抵抗成分Ｒ１は、周波数に無関係な抵抗ｒと周波数に依存する抵抗成分ｘ１２/ｒからなり、この抵抗成分ｘ１２/ｒには、結合コンデンサ２７のリアクタンスｘ１が含まれ、そのリアクタンスｘ１は、結合コンデンサの容量値が一定であることから周波数に反比例することとなり、従って、抵抗成分Ｒ１は、図８に示すようになり、周波数が低くなると大きくなり、周波数が高くなると低くなる。
【０００７】
従って、ＵＨＦ入力同調回路２８の同調特性における帯域幅Ｂ１は、図９に示す如く同調周波数が高くなるにしたがって広くなり、同調周波数が低くなるにしたがって狭くなる。そのため、同調周波数が低いほど回路Ｑが大きく、また、同調周波数が高いほど回路Ｑが小さくなる。従ってまた、同調周波数が低くなるにつれてＵＨＦ入力同調回路２８の挿入損失が大きくなることになる。図１０は、この様子を示し、同調周波数が低い（ｆ１）ときは、帯域幅ｂ１は狭くなり、同調周波数が高く（ｆ３）なると帯域幅ｂ３は広くなっている。また、同調周波数が低いときの、挿入損失Ｌ１は、同調周波数が高いときの挿入損失Ｌ３も大きくなっている。なお、同調周波数がｆ１とｆ３との中間である周波数（ｆ２）における帯域幅と挿入損失は、それぞれｂ２、Ｌ２となり、同調周波数が低いときの帯域幅（ｂ１）、伝送損失（Ｌ１）と同調周波数が高いときの帯域幅（ｂ３）、挿入損失（Ｌ３）とのそれぞれの中間の値となる。
【０００８】
【発明が解決しようとする課題】
以上のように、従来のテレビジョン信号受信チュ−ナにおけるＵＨＦ入力同調回路２８の同調特性は、受信周波数低くなるにつれて、Ｑが大きくなって帯域幅が狭くなるとともに伝送損失が大きくなり、逆に、受信周波数が高くなるにてれて、Ｑが小さくなって帯域幅が広くなっている。このため、受信周波数が低いときは、妨害信号を受けにくいという利点を有するが、ＮＦ（雑音指数）が劣化するという問題を有し、逆に、受信周波数が高くなると、ＮＦは良くなるが、妨害信号を受けやすいという問題があり、妨害信号に対する受けにくさとＮＦとをバランスさせることが困難であった。そこで、本発明のテレビジョン信号受信チュ−ナは、受信周波数帯域の全体に渡ってほぼ一定の回路Ｑ、従って同調特性における帯域幅と伝送損失とをほぼ一定となる入力同調回路を実現し、妨害信号を受けにくくするとともにＮＦを改善するものである。
【０００９】
【課題を解決するための手段】
上記課題を解決するため、本発明のテレビジョン信号受信チュ−ナは、入力端子と、前記入力端子から入力される信号のうち、ＶＨＦ帯のテレビジョン信号を受信するＶＨＦチュ−ナ部と、ＵＨＦ帯のテレビジョン信号を受信するＵＨＦチュ−ナ部とを備えたテレビジョン信号受信チュ−ナであって、前記ＵＨＦチュ−ナ部が、第一のバラクタダイオ−ドと、第二のバラクタダイオ−ドを有するとともに前記第二のバラクタダイオ−ドの容量値の変化によって同調周波数が変化する入力同調回路とを備え、前記入力同調回路を前記第一のバラクタダイオ−ドを介して前記入力端子に結合されており、前記第一のバラクタダイオ−ドの容量値が、前記第二のバラクタダイオ−ドの容量値の変化の方向と同一方向に変化させられるものであり、且つ前記第一のバラクタダイオ−ドが前記ＶＨＦ帯のテレビジョン信号を減衰するとともに前記ＵＨＦ帯のテレビジョン信号を通過するハイパスフィルタとして設けた。
【００１０】
また、本発明のテレビジョン信号受信チュ−ナは、前記第一のバラクタダイオ−ドと前記第二のバラクタダイオ−ドとに同一の同調電圧を印加した。
【００１１】
また、本発明のテレビジョン信号受信チュ−ナは、前記第二のバラクタダイオ−ドとともに前記入力同調回路を構成する、互いに直列接続された第一のインダクタと第二のインダクタとを設け、前記第一のバラクタダイオ−ドの一端を、前記第一のインダクタと前記第二のインダクタとの接続点に接続した。
【００１２】
また、本発明のテレビジョン信号受信チュ−ナは、前記第一のインダクタの一端を接地し、前記第一のバラクタダイオ−ドと前記第一のインダクタとによって前記ＶＨＦ帯のテレビジョン信号を減衰するトラップ回路を構成した。
【００１３】
【発明の実施の形態】
本発明のテレビジョン信号受信チュ−ナ（以下、単にチュ−ナという）を図１乃至図５を参照して説明する。先ず、図１は本発明のチュ−ナの回路を示す。図１において、ＶＨＦ帯のテレビジョン信号を受信するＶＨＦチュ−ナ部１と、ＵＨＦ帯のテレビジョン信号を受信するＵＨＦチュ−ナ部２とが、入力端子３に接続されている。ＶＨＦチュ−ナ部１は、中間周波トラップ回路４、ＶＨＦ入力同調回路５、ＶＨＦ高周波増幅器６等で構成され、一方、ＵＨＦチュ−ナ部２は、直流阻止コンデンサ７、結合コンデンサである第一のバラクタダイオ−ド８、ＵＨＦ入力同調回路９、ＵＨＦ高周波増幅器１０等で構成されている。
【００１４】
ＵＨＦ入力同調回路９は、さらに、インピ−ダンス変換回路１１と、このインピ−ダンス変換回路１１に並列接続された主同調回路１２とで構成されている。インピ−ダンス変換回路１１は、互いに直列接続された第一のインダクタ１３と第二のインダクタ１４で構成され、第一のインダクタ１３の一端が接地されている。また、主同調回路１２は、主インダクタ１５とこの主インダクタ１５に並列接続された、同調容量である第二のバラクタダイオ−ド１６とによって構成されている。そして、インピ−ダンス変換回路１１を構成する第二のインダクタ１４の一端が主同調回路１２を構成する主インダクタ１５の一端と第二のバラクタダイオ−ド１６の一端（アノ−ド）とに接続されることにより、インピ−ダンス変換回路１１と主同調回路１２とが並列接続されてＵＨＦ入力同調回路９が構成されている。なお、主インダクタ１５の他端に直列に接続されたコンデンサ１７と、第二のバラクタダイオ−ド１６の他端（カソ−ド）とグランドとの間に接続されたコンデンサ１８とは直流阻止のためのものである。
【００１５】
第一のバラクタダイオ−ド８は、入力端子３に入力されたテレビジョン信号のうち、ＶＨＦ帯のテレビジョン信号を比較的大きく減衰し、ＵＨＦ帯のテレビジョン信号をあまり減衰せずにＵＨＦ入力同調回路９に送るハイパスフィルタの機能を有している。この第一のバラクタダイオ−ド８の一端（カソ−ド）は直流阻止コンデンサ７を介して入力端子３に接続され、その他端（アノ−ド）は、直列接続された第一のインダクタ１３と第二のインダクタ１４との接続点に接続されている。従って、この第一のバラクタダイオ−ド８は、ＵＨＦ入力同調回路９を入力端子３に結合している。そして、第一のバラクタダイオ−ド８と第二のバラクタダイオ−ド１６とのそれぞれのカソ−ドには、同調電圧端子１９から共通の同調電圧が印加され、同調電圧の変化によってそれぞれの容量値が同じ方向に増減して変化するようになっている。これらの第一のバラクタダイオ−ド８と第二のバラクタダイオ−ド１６との容量値の変化範囲は、およそ数ｐＦ（ピコファラッド）から１０数ｐＦである。
【００１６】
第一のインダクタ１３と第二のインダクタ１４とからなるインピ−ダンス変換回路１１は、結合コンデンサである第一のバラクタダイオ−ド８から入力端子３側を見た信号源側のインピ−ダンスをステップアップして大きく変換し、インピ−ダンス変換した信号源側のインピ−ダンスをＵＨＦ入力同調回路９に並列に接続するものである。そのため、ＵＨＦ入力同調回路９は、信号源側のインピ−ダンスと、このＵＨＦ入力同調回路９の次段に接続されたＵＨＦ高周波増幅器１０の入力インピ−ダンスとを整合する機能を有している。
【００１７】
そして、ＶＨＦチュ−ナ部１においては、先ず、中間周波トラップ回路４で、中間周波数帯域の妨害信号を除去した後、ＶＨＦ入力同調回路５で、所望のＶＨＦ帯のテレビジョン信号を選択し、ＶＨＦ高周波増幅器６で増幅する。そして、ＶＨＦチュ−ナ部１における、ＶＨＦ高周波増幅器６の後段に接続された図示しない混合器で中間周波信号に周波数変換される。一方、ＵＨＦチュ−ナ部２においては、直流阻止コンデンサ７、第一のバラクタダイオ−ド８を介して入力されたＵＨＦ帯のテレビジョン信号は、第二のバラクタダイオ−ド１６の容量を変化することによって、ＵＨＦ入力同調回路９で所望のＵＨＦ帯のテレビジョン信号が選択され、ＵＨＦ高周波増幅器１０で増幅される。そして、ＵＨＦチュ−ナ部２における、ＵＨＦ増幅器１０の後段に接続された図示しない混合器で中間周波信号に周波数変換される。
【００１８】
ここで、入力端子３には図示しないアンテナが接続されるが、そのインピ−ダンスは通常、純抵抗の７５Ωであり、これをｒとすると、結合コンデンサである第一のバラクタダイオ−ド８を含めた信号源側のインピ−ダンスＺ２は、Ｚ２＝ｒ−ｊｘ２で表される。このインピ−ダンスＺ２を並列回路に変換すると、図２に示すように、抵抗成分Ｒ２＝ｒ＋ｘ２２/ｒと、リアクタンス成分Ｘ２＝−（ｘ２＋ｒ２/ｘ２）とで示され、このうちの抵抗成分Ｒ２が、図１のインピ−ダンス変換回路１１によって大きな値に変換されてＵＨＦ入力同調回路９に並列接続されるようになっている。ここで、ｘ２は第一のバラクタダイオ−ド８のリアクタンスであり、第一のバラクタダイオ−ド８の容量値をＣ２とすると、ｘ２＝１／ωＣ２で表される。
【００１９】
そして、抵抗成分Ｒ２は、周波数に無関係な抵抗ｒと周波数に依存する抵抗成分ｘ２２/ｒからなり、この周波数に依存する抵抗成分ｘ２２/ｒには、第一のバラクタダイオ−ド８のリアクタンスｘ２が含まれ、そのリアクタンスｘ２は周波数に反比例するが、第一のバラクタダイオ−ド８の容量値Ｃ２は、周波数が高くなると小さくなるように変化するので、周波数に依存する抵抗成分ｘ２２/ｒは、図３のカ−ブａのようになり、従来の抵抗成分Ｒ１のうちの周波数に依存する抵抗成分ｘ１２/ｒ（図８参照）を示すカ−ブｂに比較してその傾斜が緩やかになり、周波数が低い領域においては従来よりも小さく、周波数の高い領域では従来よりも大きくすることができる。
【００２０】
この抵抗分Ｒ２は、インピ−ダンス変換回路１１の第一のインダクタ１３、第二のインダクタ１４によって、（１＋Ｌ２／Ｌ１）２倍されてＵＨＦ入力同調回路９に並列接続されることになる。ここで、Ｌ１は第一のインダクタ１３のインダクタンスであり、、Ｌ２は第二のインダクタ１４のインダクタンスである。そして、ＵＨＦ入力同調回路９の同調特性の帯域幅Ｂ２は、図４のカ−ブＣに示すようになり、従来の帯域幅Ｂ１（図９参照）を示すカ−ブｄよりもよりもその傾斜が緩やかになり、周波数が低い領域（例えばｆ１）では従来の帯域幅ｂ１よりも広い帯域幅ｂ４となり、周波数が高い領域（例えばｆ３）では、従来の帯域幅ｂ３よりも狭い帯域幅ｂ６とすることができる。また、中間の周波数（例えばｆ２では）従来の帯域幅ｂ２とほぼ同じ帯域幅ｂ５とすることができる。
【００２１】
これに対応して、同調周波数が低くなるにつれてＵＨＦ入力同調回路９の挿入損失も周波数に関係無く中間の周波数ｆ２における挿入損失Ｌ２とほぼ同じ程度の値Ｌ４，Ｌ５、Ｌ６とすることができる。
【００２２】
なお、結合コンデンサである第一のバラクタダイオ−ド８は、ハイパスフィルタとしても用いるようにしているが、この第一のバラクタダイオ−ド８と、ＵＨＦ入力同調回路９におけるインピ−ダンス変換回路１１の第一のインダクタ１３とによってトラップ回路が形成できるので、この第一のバラクタダイオ−ド８と第一のインダクタ１３との直列共振周波数をＶＨＦ帯の周波数に設定すればＶＨＦ帯のテレビジョン信号を大きく減衰することが出来る。しかも、このトラップ周波数は受信するＵＨＦ帯のテレビジョン信号の周波数に対応して変わるので、ＶＨＦ帯のテレビジョン信号を効率良く減衰できる。
【００２３】
以上のように、本発明の、テレビジョン信号受信チュ−ナは、結合容量に、第一のバラクタダイオ−ド８を用い、この第一のバラクタダイオ−ド８を、ＵＨＦ入力同調回路９の同調容量である第二のバラクタダイオ−ド１６の増減方向と同じ方向に変化させるようにしたので、ＵＨＦ入力同調回路９の帯域幅を、低い周波数では従来よりも広く、高い周波数では帯域幅を従来よりも狭くすることができる。従って、ＵＨＦ入力同調回路９の挿入損失を、低い周波数で従来よりも少なくすることができる。従ってまた、帯域幅、挿入損失ともに周波数全体に渡って均一化することができ、この結果、低い周波数でのＮＦを改善でき、さらに、高い周波数でも妨害信号を受けにくくすることができる。
【００２４】
また、本発明のテレビジョン信号受信チュ−ナでは、結合コンデンサに第一のバラクタダイオ−ド８を用い、この第一のバラクタダイオ−ド８を、ＵＨＦ帯のテレビジョン信号を通過するハイパスフィルタとするとともに、周波数が高くなるにしたがって小さく変化するようにしているので、受信するＵＨＦ帯の周波数に対応してカットオフ周波数が変化し、ＶＨＦ帯のテレビジョン信号を大きく減衰することができる。
【００２５】
【発明の効果】
以上のように、本発明のテレビジョン信号受信チュ−ナは、入力端子と、前記入力端子から入力される信号のうち、ＶＨＦ帯のテレビジョン信号を受信するＶＨＦチュ−ナ部と、ＵＨＦ帯のテレビジョン信号を受信するＵＨＦチュ−ナ部とを備えたテレビジョン信号受信チュ−ナであって、前記ＵＨＦチュ−ナ部が、第一のバラクタダイオ−ドと、第二のバラクタダイオ−ドを有するとともに前記第二のバラクタダイオ−ドの容量値の変化によって同調周波数が変化する入力同調回路とを備え、前記入力同調回路を前記第一のバラクタダイオ−ドを介して前記入力端子に結合されており、前記第一のバラクタダイオ−ドの容量値が、前記第二のバラクタダイオ−ドの容量値の変化の方向と同一方向に変化させられるものであり、且つ前記第一のバラクタダイオ−ドが前記ＶＨＦ帯のテレビジョン信号を減衰するとともに前記ＵＨＦ帯のテレビジョン信号を通過するハイパスフィルタとして設けたので、入力同調回路の帯域幅を、低い周波数では従来よりも広く、高い周波数では従来よりも狭くすることができる。従って、同調回路の挿入損失を、低い周波数で少なくすることができる。従ってまた、帯域幅、挿入損失ともに周波数全体に渡って均一化することができ、この結果、低い周波数でのＮＦを改善でき、さらに、高い周波数でも妨害信号を受けにくくすることができる。
【００２６】
また、本発明のテレビジョン信号受信チュ−ナは、受信するＵＨＦ帯の周波数に対応してカットオフ周波数が変化し、ＶＨＦ帯のテレビジョン信号を大きく減衰することができる。
【００２７】
また、本発明のテレビジョン信号受信チュ−ナは、第一のバラクタダイオ−ドと前記第二のバラクタダイオ−ドとに同一の同調電圧を印加したので、同調電圧をそのまま使用して結合容量としての第一のバラクタダイオ−ドの容量値を簡単に変化させることができる。
【００２８】
また、本発明のテレビジョン信号受信チュ−ナは、前記第二のバラクタダイオ−ドとともに前記入力同調回路を構成する、互いに直列接続された第一のインダクタと第二のインダクタとを設け、前記第一のバラクタダイオ−ドの一端を、前記第一のインダクタと前記第二のインダクタとの接続点に接続したので、信号源のインピ−ダンスを、第一と第二のインダクタによって任意のインピ−ダンスに変換して同調回路に接続することができ、これによって同調回路のバンド幅、回路Ｑ、従って挿入損失を適宜に設定できる。
【００２９】
また、本発明のテレビジョン信号受信チュ−ナは、前記第一のインダクタの一端を接地し、前記第一のバラクタダイオ−ドと前記第一のインダクタとによって前記ＶＨＦ帯のテレビジョン信号を減衰するトラップ回路を構成したので、この第二のバラクタダイオ−ドと第一のインダクタとの直列共振周波数をＶＨＦ帯に周波数に設定すればＶＨＦ帯のテレビジョン信号を大きく減衰することが出来る。しかも、このトラップ周波数は受信するＵＨＦ帯のテレビジョン信号の周波数に対応して変わるので、ＶＨＦ帯のテレビジョン信号を効率良く減衰できる。
【図面の簡単な説明】
【図１】本発明のテレビジョンチュ−ナの回路図である。
【図２】本発明のテレビジョンチュ−ナにおける、結合容量から入力端子側を見た信号源側のインピ−ダンスの等価回路である。
【図３】本発明のテレビジョンチュ−ナにおける、結合容量から入力端子側を見た信号源側のインピ−ダンスの抵抗分の周波数特性図である。
【図４】本発明のテレビジョンチュ−ナの、ＵＨＦ同調回路における同調特性の帯域幅の周波数特性図である。
【図５】本発明のテレビジョンチュ−ナにおけるＵＨＦ同調回路の同調特性図である。
【図６】従来のテレビジョンチュ−ナの回路図である。
【図７】従来のテレビジョンチュ−ナにおける、結合容量から入力端子側を見た信号源側のインピ−ダンスの等価回路である。
【図８】従来のテレビジョンチュ−ナにおける、結合容量から入力端子側を見た信号源側のインピ−ダンスの抵抗分の周波数特性図である。
【図９】従来のテレビジョンチュ−ナの、ＵＨＦ同調回路における同調特性の帯域幅の周波数特性図である。
【図１０】従来のテレビジョンチュ−ナにおけるＵＨＦ同調回路の同調特性図である。
【符号の説明】
１  ＶＨＦチュ−ナ部
２  ＵＨＦチュ−ナ部
３  入力端子
４  中間周波トラップ回路
５  ＶＨＦ入力同調回路
６  ＶＨＦ高周波増幅器
７、１７、１８  直流阻止コンデンサ
８  第二のバラクタダイオ−ド
９  ＵＨＦ入力同調回路
１０  ＵＨＦ高周波増幅器
１１  インピ−ダンス変換回路
１２  主同調回路
１３  第一のインダクタ
１４  第二のインダクタ
１５  主インダクタ
１６  第二のバラクタダイオ−ド
１９  同調電圧端子
Ｒ２  抵抗成分
Ｘ２  リアクタンス成分
【図１】
0003756626.tif 000002
【図２】
0003756626.tif 000003
【図３】
0003756626.tif 000004
【図４】
0003756626.tif 000005
【図５】
0003756626.tif 000006
【図６】
0003756626.tif 000007
【図７】
0003756626.tif 000008
【図８】
0003756626.tif 000009
【図９】
0003756626.tif 000010
【図１０】
0003756626.tif 000011